(57)【特許請求の範囲】
【請求項１】
箸先部に滑り止め部を備える箸であって、
前記滑り止め部は、前記箸先部に塗布された漆と、その漆に混在して、前記箸先部の表面に凹凸を形成する、キトサンの粉末と、から構成され、
前記キトサンの粉末の粒度は、１５０メッシュから２００メッシュの範囲内であることを特徴とする滑り止め部を備える箸。
【請求項２】
箸先部に滑り止め部を備える箸であって、
前記滑り止め部は、前記箸先部に塗布された漆と、その漆に混在して、前記箸先部の表面に凹凸を形成する、薬用植物の粉末と、から構成され、
前記薬用植物の粉末の粒度は、１００メッシュから１５０メッシュの範囲内であることを特徴とする滑り止め部を備える箸。
【請求項３】
前記粉末の一部は、前記箸先部の表面に露出していることを特徴とする請求項１または２に記載の滑り止め部を備える箸。
【請求項４】
漆にキトサンの粉末を混入してなる粉末混入塗料を、箸先部に塗布することで、その箸先部の表面に前記粉末による凹凸を形成する、箸の滑り止め部形成方法であって、
前記キトサンの粉末の粒度は、１５０メッシュから２００メッシュの範囲内であり、かつ、前記粉末混入塗料１００ｇ中に、前記粉末が２０ｇから３０ｇ混入されていることを特徴とする箸の滑り止め部形成方法。
【請求項５】
漆に薬用植物の粉末を混入してなる粉末混入塗料を、箸先部に塗布することで、その箸先部の表面に前記粉末による凹凸を形成する、箸の滑り止め部形成方法であって、
前記薬用植物の粉末の粒度は、１００メッシュから１５０メッシュの範囲内であり、かつ、前記粉末混入塗料１００ｇ中に、前記粉末が１５ｇから２０ｇ混入されていることを特徴とする箸の滑り止め部形成方法。
【請求項６】
箸先部に漆を塗布し、
その箸先部の表面に、キトサンの粉末を付着させ、
次に、前記漆よりも粘性の低い他の漆を、前記箸先部に塗布することで、その箸先部の表面に、前記粉末による凹凸を形成する、箸の滑り止め部形成方法であって、
前記キトサンの粉末の粒度は、１５０メッシュから２００メッシュの範囲内であることを特徴とする箸の滑り止め部形成方法。
【請求項７】
箸先部に漆を塗布し、
その箸先部の表面に、薬用植物の粉末を付着させ、
次に、前記漆よりも粘性の低い他の漆を、前記箸先部に塗布することで、その箸先部の表面に、前記粉末による凹凸を形成する、箸の滑り止め部形成方法であって、
前記薬用植物の粉末の粒度は、１００メッシュから１５０メッシュの範囲内であることを特徴とする箸の滑り止め部形成方法。
【請求項８】
箸先部に漆を塗布し、
その箸先部の表面に、キトサンの粉末を付着させて、前記箸先部の表面に、前記粉末による凹凸を形成する、箸の滑り止め部形成方法であって、
前記キトサンの粉末の粒度は、１５０メッシュから２００メッシュの範囲内であることを特徴とする箸の滑り止め部形成方法。
【請求項９】
箸先部に漆を塗布し、
その箸先部の表面に、薬用植物の粉末を付着させて、前記箸先部の表面に、前記粉末による凹凸を形成する、箸の滑り止め部形成方法であって、
前記薬用植物の粉末の粒度は、１００メッシュから１５０メッシュの範囲内であることを特徴とする箸の滑り止め部形成方法。
【発明の詳細な説明】
【０００１】
【発明の属する技術分野】
この発明は、箸先部に滑り止め部を備える箸およびその箸の滑り止め部形成方法に関するものである。
【０００２】
【従来の技術および発明が解決しようとする課題】
従来の箸には、滑り止め部として、箸先部の表面に凹凸を形成するため、例えば、漆に砥の粉が混入された、錆漆と呼ばれる粉末混入塗料を塗布したものがあった。ところが、前記粉末混入塗料を製造するためには、砥の粉を水に溶いて練った後に、所定の割合になるように漆と混ぜ合わせて念入りに撹拌しなければならず、粉末混入塗料の製造に非常に手間がかかった。しかも、錆漆は、空気に触れるとすぐに乾いてしまうため、箸先部に塗布する過程においても、塗布前の錆漆を絶えず撹拌を行う必要があり、塗装が面倒であった。また、従来の箸は、箸先部の滑り止め部に、砥の粉を使用しているため、箸の使用者に、その使用について一抹の抵抗感を与える虞があった。
【０００３】
この発明は、上記した従来の問題点を解決するためになされたものであり、その目的は、箸先部に滑り止め部を備える箸、特に、その滑り止め部の形成に、人体に有益な粉末を用いることにより、箸の使用者に安心感を与えることができる、滑り止め部を備える箸および箸の滑り止め部形成方法を提供することにある。
【０００４】
また、この発明の他の目的は、容易に滑り止め部を形成することができる、箸の滑り止め部形成方法を提供することにある。
【０００５】
【課題を解決するための手段】
この発明に係る滑り止め部を備える箸および箸の滑り止め部形成方法は、前記目的を達成するために、次の構成からなる。すなわち、
請求項１に記載の発明に係る滑り止め部を備える箸は、箸先部に滑り止め部を備える箸であって、前記滑り止め部は、前記箸先部に塗布された漆と、その漆に混在して、前記箸先部の表面に凹凸を形成する、キトサンの粉末と、から構成され、前記キトサンの粉末の粒度は、１５０メッシュから２００メッシュの範囲内である。これにより、人体に有益な、キトサンの粉末が、箸先部の表面に、滑り止めとしての凹凸を形成する。特に、キトサンの粉末の粒度を、１５０メッシュから２００メッシュの範囲内にすることより、キトサンの粉末が、箸先部の表面に適度な凹凸を形成する。また、粉末が、人体の免疫力を高める作用などがあるといわれる、キトサンからなるので、箸の使用者は、安心して箸を使用することができる。
また、請求項２に記載の発明に係る滑り止め部を備える箸は、箸先部に滑り止め部を備える箸であって、前記滑り止め部は、前記箸先部に塗布された漆と、その漆に混在して、前記箸先部の表面に凹凸を形成する、薬用植物の粉末と、から構成され、前記薬用植物の粉末の粒度は、１００メッシュから１５０メッシュの範囲内である。これにより、人体に有益な、薬用植物の粉末が、箸先部の表面に、滑り止めとしての凹凸を形成する。特に、薬用植物の粉末の粒度を、１００メッシュから１５０メッシュの範囲内にすることより、薬用植物の粉末が、箸先部の表面に適度な凹凸を形成する。また、粉末が、人体に有益な薬用植物からなるので、箸の使用者は、安心して箸を使用することができる。
【０００６】
また、請求項３に記載の発明に係る滑り止め部を備える箸のように、前記粉末の一部は、前記箸先部の表面に露出しているのが望ましい。これにより、前記箸先部の表面に、凹凸が確実に形成される。
【０００７】
【０００８】
【０００９】
また、請求項４に記載の発明に係る箸の滑り止め部形成方法は、漆にキトサンの粉末を混入してなる粉末混入塗料を、箸先部に塗布することで、その箸先部の表面に前記粉末による凹凸を形成する。ここで、前記キトサンの粉末の粒度は、１５０メッシュから２００メッシュの範囲内であり、かつ、前記粉末混入塗料１００ｇ中に、前記粉末が２０ｇから３０ｇ混入されている。これによれば、従来の、漆に砥の粉が混入された錆漆と呼ばれる粉末混入塗料とは異なり、粉末を水に溶いて練ったものと、漆とを混ぜ合わせる必要なく、漆に、キトサンの粉末を混入することにより、粉末混入塗料を製造できる。また、粉末混入塗料を、箸先部に塗布することで、その箸先部の表面には、前記粉末による凹凸が形成される。
【００１０】
特に、キトサンの粉末の粒度を、１５０メッシュから２００メッシュの範囲内にして、粉末混入塗料１００ｇ中に、前記粉末を２０ｇから３０ｇ混入した粉末混入塗料を、箸先部に塗布すると、キトサンの粉末が、箸先部に適度な凹凸を形成する。また、粉末が、人体の免疫力を高める作用などがあるといわれる、キトサンからなるので、箸の使用者は、安心して箸を使用することができる。
【００１１】
また、請求項５に記載の発明に係る箸の滑り止め部形成方法は、漆に薬用植物の粉末を混入してなる粉末混入塗料を、箸先部に塗布することで、その箸先部の表面に前記粉末による凹凸を形成する。ここで、前記薬用植物の粉末の粒度は、１００メッシュから１５０メッシュの範囲内であり、かつ、前記粉末混入塗料１００ｇ中に、前記粉末が１５ｇから２０ｇ混入されている。これによれば、従来の、漆に砥の粉が混入された錆漆と呼ばれる粉末混入塗料とは異なり、粉末を水に溶いて練ったものと、漆とを混ぜ合わせる必要なく、漆に、薬用植物の粉末を混入することにより、粉末混入塗料を製造できる。また、粉末混入塗料を、箸先部に塗布することで、その箸先部の表面には、前記粉末による凹凸が形成される。特に、薬用植物の粉末の粒度を、１００メッシュから１５０メッシュの範囲内にして、粉末混入塗料１００ｇ中に、前記粉末を１５ｇから２０ｇ混入した粉末混入塗料を、箸先部に塗布すると、薬用植物の粉末が、箸先部に適度な凹凸を形成する。また、粉末が、人体に有益な薬用植物からなるので、箸の使用者は、安心して箸を使用することができる。
【００１２】
また、請求項６に記載の発明に係る箸の滑り止め部形成方法は、箸先部に漆を塗布し、その箸先部の表面に、キトサンの粉末を付着させ、次に、前記漆よりも粘性の低い他の漆を、前記箸先部に塗布することで、その箸先部の表面に、前記粉末による凹凸を形成する。ここで、前記キトサンの粉末の粒度は、１５０メッシュから２００メッシュの範囲内である。これにより、粉末混入塗料を製造することなく、その箸先部の表面に、キトサンの粉末による凹凸を形成することができる。また、箸先部の表面に付着した前記粉末は、粘性の低い他の漆で覆われるので、箸先部の表面から剥がれにくくなる。また、粉末は、人体に有益な、キトサンからなるので、箸の使用者は、安心して箸を使用することができる。
また、請求項７に記載の発明に係る箸の滑り止め部形成方法は、箸先部に漆を塗布し、その箸先部の表面に、薬用植物の粉末を付着させ、次に、前記漆よりも粘性の低い他の漆を、前記箸先部に塗布することで、その箸先部の表面に、前記粉末による凹凸を形成する。ここで、前記薬用植物の粉末の粒度は、１００メッシュから１５０メッシュの範囲内である。これにより、粉末混入塗料を製造することなく、その箸先部の表面に、薬用植物の粉末による凹凸を形成することができる。また、箸先部の表面に付着した前記粉末は、粘性の低い他の漆で覆われるので、箸先部の表面から剥がれにくくなる。また、粉末は、人体に有益な、薬用植物からなるので、箸の使用者は、安心して箸を使用することができる。
【００１３】
また、請求項８に記載の発明に係る箸の滑り止め部形成方法は、箸先部に漆を塗布し、その箸先部の表面に、キトサンの粉末を付着させて、前記箸先部の表面に、前記粉末による凹凸を形成する。ここで、前記キトサンの粉末の粒度は、１５０メッシュから２００メッシュの範囲内である。これにより、箸先部の表面に前記粉末が露出するので、凹凸が確実に形成される。また、粉末は、人体に有益な、キトサンからなるので、箸の使用者は、安心して箸を使用することができる。
また、請求項９に記載の発明に係る箸の滑り止め部形成方法は、箸先部に漆を塗布し、その箸先部の表面に、薬用植物の粉末を付着させて、前記箸先部の表面に、前記粉末による凹凸を形成する。ここで、前記薬用植物の粉末の粒度は、１００メッシュから１５０メッシュの範囲内である。これにより、箸先部の表面に前記粉末が露出するので、凹凸が確実に形成される。また、粉末は、人体に有益な、薬用植物からなるので、箸の使用者は、安心して箸を使用することができる。
【００１４】
【発明の実施の形態】
以下、この発明に係る滑り止め部を備える箸の一実施の形態を図面に基づいて説明する。
【００１５】
図中符号１は、滑り止め部を備える箸（以下、箸）の全体を示す。この箸１は、例えば、木製あるいは竹製からなり、その箸先部２を含む表面全体に、合成樹脂塗料とか本漆等の漆、あるいは、それらの双方を塗布することにより、表面処理が施されている。そして、この箸１は、箸先部２に滑り止め部３を備えている。
【００１６】
滑り止め部３は、箸先部２に塗布された本漆等の漆４と、その漆４内に混在するキトサンからなる粉末５と、から構成されている。このキトサンの粉末５の粒度は、例えば、１５０メッシュから２００メッシュの範囲内程度であって、前記箸先部２の表面２ａに適度な凹凸６を形成している。すなわち、この凹凸６は、前記漆４内に混在する前記粉末５によって形成されたものである。
【００１７】
次に、この第一の実施の形態に示す箸１の滑り止め部形成方法について説明する。始めに、漆４に、粒度１５０メッシュから２００メッシュの範囲内程度のキトサンの粉末５を混入して撹拌することにより、粉末混入塗料（図示なし）を製造する。このとき、前記粉末５は、粉末混入塗料１００ｇ中に、例えば、２０ｇから３０ｇ程度混入するのが望ましい。そして次に、粉末混入塗料を、表面処理が施された箸先部２に塗布することで、この箸先部２の表面２ａに、前記粉末５の混在による凹凸６を形成し、滑り止め部３を形成する。
【００１８】
この第一の実施の形態に示す滑り止め部３を備える箸１および箸１の滑り止め部形成方法によれば、滑り止め部３に、無害であるとともに人体に有益な、特に、人体の免疫力を高める作用などがあるといわれる、キトサンからなる粉末を使用しているので、箸１の使用者に安心感を与えることができる。
【００１９】
また、キトサンの粉末の粒度が１５０メッシュから２００メッシュの範囲内程度であり、かつ、粉末混入塗料１００ｇ中に、２０ｇから３０ｇ程度混入されていることにより、キトサンの粉末が、箸先部２の表面２ａに適度な凹凸６を形成するため、この箸１でつまんだ食べ物が滑りにくくなる。
【００２０】
また、この第一の実施の形態に示す箸１の滑り止め部形成方法によれば、従来の、漆に砥の粉が混入された錆漆と呼ばれる粉末混入塗料とは異なり、粉末を水に溶いて練ったものと、漆とを混ぜ合わせる必要なく、漆４に、キトサンからなる粉末５を混入することで、粉末混入塗料を容易にすることが製造できる。また、この粉末混入塗料を、箸先部２に塗布することで、その箸先部２の表面２ａには、前記粉末５による凹凸６が形成されるので、箸先部２に、滑り止め部３を容易に形成することができる。
【００２１】
なお、本発明に係る滑り止め部３を備える箸１は、上述した実施の形態に限定されるわけではなく、その他種々の変更が可能である。例えば、図示実施の形態においては、キトサンの粉末５の粒度は、１５０メッシュから２００メッシュの範囲内程度であり、かつ、粉末混入塗料１００ｇ中に、前記粉末５が２０ｇから３０ｇ程度混入されるとしたが、前記粉末５の粒度および混入量は、これらの数値に限定されるわけではない。
【００２２】
また、キトサンからなる粉末５に代えて、人体に有益な、例えば、葛根、芍薬、柴胡、ビャクシ、ビャクジュツ、決明子、桃仁、桔梗あるいは人参等の生薬その他の薬用植物からなる粉末５を用いてもよい。この薬用植物の粉末の粒度は、例えば、１００メッシュから１５０メッシュの範囲内程度であるのが望ましく、かつ、粉末混入塗料１００ｇ中に、前記粉末が１５ｇから２０ｇ混入されているのが望ましい。これにより、箸先部２の表面２ａに、薬用植物の粉末による、適度な凹凸６を形成することができるので、この箸１でつまんだ食べ物が滑りにくくなる。また、滑り止め部３に、人体に有益な薬用植物の粉末を使用することにより、箸１の使用者に安心感を与えることができる。
【００２３】
勿論、この薬用植物からなる粉末５の粒度および粉末混入塗料１００ｇ中に混入される薬用植物からなる粉末５の混入量も、前記数値に限定されるわけではない。
【００２４】
また、箸１の滑り止め部３は、例えば、図４に示す第二の実施の形態の、滑り止め部８を備える箸７のように、上述した形成方法以外の方法で形成してもよい。ここで、この箸７の滑り止め部８の形成方法について説明する。まず、箸先部２に本漆等の漆９を塗布し、その後、その箸先部２の表面２ａに、キトサンまたは薬用植物からなる粉末１０を付着させる。次に、前記漆９よりも粘性の低い他の本漆等の漆１１を、前記箸先部２に塗布することで、この箸先部２の表面２ａに、前記粉末１０による凹凸６を形成する。この第二の実施の形態の箸７および箸７の滑り止め部形成方法によれば、粉末混入塗料を製造することなく、箸先部２に、滑り止め部８を容易に形成することができる。また、この箸７は、箸先部２の表面２ａに付着した前記粉末１０が、前記他の漆１１で覆われて、箸先部２の表面２ａから剥がれにくくなるので、長期間にわたって滑り止め効果を維持することができる。
【００２５】
また、箸１の滑り止め部３は、図５に示す第三の実施の形態の、滑り止め部１３を備える箸１２のように、キトサンまたは薬用植物からなる粉末１０の一部が、箸先部２の表面２ａに露出していてもよい。これにより、箸１２は、箸先部２の表面２ａに凹凸６が確実に形成されるので、滑り止め効果が優れる。また、この第三の実施の形態の箸１２の滑り止め部１３の形成方法は、箸先部２に漆９を塗布し、その箸先部２の表面２ａに、キトサンまたは薬用植物からなる粉末１０を付着させ、前記箸先部２の表面２ａに、前記粉末１０による凹凸６を形成することにより行われる。この第三の実施の形態の箸１２の滑り止め部１３の形成方法によれば、粉末混入塗料を製造することなく、箸先部２に、滑り止め部８を容易に、かつ、確実に形成することができる。
【００２６】
これら第二および第三の実施の形態に示す箸７、１２においても、キトサンからなる粉末１０の粒度は、例えば、１５０メッシュから２００メッシュの範囲内程度が好ましく、また、薬用植物からなる粉末１０の粒度は、例えば、１００メッシュから１５０メッシュの範囲内程度が好ましいが、勿論これら数値に限定されるものではない。
【００２７】
また、箸１、７、１２は、木製あるいは竹製に限られることはなく、合成樹脂製あるいは金属製などその他の素材からなるものであってもよい。また、箸先部２には、表面処理を必ずしも施す必要がない。また、箸１、７、１２の形状は、どのような形状であってもよいことは勿論である。
【００２８】
【発明の効果】
請求項１に記載された滑り止め部を備える箸によれば、滑り止め部に、人体に有益なキトサンの粉末を使用しているので、箸の使用者に安心感を与えることができる。その上、箸先部の表面に形成された、キトサンの粉末による適度な凹凸により、この箸でつまんだ食べ物が滑りにくくなる。
また、請求項２に記載された滑り止め部を備える箸によれば、滑り止め部に、人体に有益な薬用植物の粉末を使用しているので、箸の使用者に安心感を与えることができる。その上、箸先部の表面に形成された、薬用植物の粉末による適度な凹凸により、この箸でつまんだ食べ物が滑りにくくなる。
【００２９】
また、請求項３に記載された滑り止め部を備える箸によれば、加えて、凹凸が確実に形成されるので、滑り止め効果が優れる。
【００３０】
【００３１】
【００３２】
請求項４に記載された箸の滑り止め部形成方法によれば、箸先部に、滑り止め部を容易に形成することができる。また、この箸は、滑り止め部に、人体に有益なキトサンの粉末を使用しているので、箸の使用者に安心感を与えることができる。
【００３３】
しかも、箸先部の表面に、キトサンの粉末による、適度な凹凸を形成することができる。
【００３４】
また、請求項５に記載された箸の滑り止め部形成方法によれば、箸先部に、滑り止め部を容易に形成することができる。また、この箸は、滑り止め部に、人体に有益な薬用植物の粉末を使用しているので、箸の使用者に安心感を与えることができる。しかも、箸先部の表面に、薬用植物の粉末による、適度な凹凸を形成することができる。
【００３５】
請求項６に記載された箸の滑り止め部形成方法によれば、箸先部に、滑り止め部を容易に形成することができる。しかも、この箸は、長期間にわたって滑り止め効果を維持することができる。また、この箸は、滑り止め部に、人体に有益なキトサンの粉末を使用しているので、箸の使用者に安心感を与えることができる。
また、請求項７に記載された箸の滑り止め部形成方法によれば、箸先部に、滑り止め部を容易に形成することができる。しかも、この箸は、長期間にわたって滑り止め効果を維持することができる。また、この箸は、滑り止め部に、人体に有益な薬用植物の粉末を使用しているので、箸の使用者に安心感を与えることができる。
【００３６】
請求項８に記載された箸の滑り止め部形成方法によれば、箸先部に、滑り止め部を容易に形成することができ、しかも、この箸は、滑り止め効果が優れる。また、この箸は、滑り止め部に、人体に有益なキトサンの粉末を使用しているので、箸の使用者に安心感を与えることができる。
また、請求項９に記載された箸の滑り止め部形成方法によれば、箸先部に、滑り止め部を容易に形成することができ、しかも、この箸は、滑り止め効果が優れる。また、この箸は、滑り止め部に、人体に有益な薬用植物の粉末を使用しているので、箸の使用者に安心感を与えることができる。
【図面の簡単な説明】
【図１】  この発明に係る滑り止め部を備える箸の第一の実施の形態の正面図である。
【図２】  図１におけるＡ−Ａ拡大断面図である。
【図３】  図２におけるＢ−Ｂ拡大断面図である。
【図４】  この発明に係る滑り止め部を備える箸の第二の実施の形態の、図３相当図である。
【図５】  この発明に係る滑り止め部を備える箸の第三の実施の形態の、図３相当図である。
【符号の説明】
１、７、１２  箸                      ２            箸先部
２ａ          箸先部の表面            ３、８、１３  滑り止め部
４、９        漆                      ５、１０      粉末
６            凹凸                    １１          他の漆
【図１】
0003649669.tif 000002
【図２】
0003649669.tif 000003
【図３】
0003649669.tif 000004
【図４】
0003649669.tif 000005
【図５】
0003649669.tif 000006